(57)【要約】【課題】既存タイトフレームの強度が低下していた場合であっても、既存折板屋根を撤去することなく、新規折板屋根を設置することが可能な折板屋根の改修方法を提供する。【解決手段】梁材１０に、既存タイトフレーム１１を介して固定されている折板屋根の改修方法であって、既存折板屋根１２および既存タイトフレーム１１が梁材１０に固定されている状態で、梁材１０に、新規タイトフレーム１７を固定するための固定具１４を固定する工程と、固定具１４に、新規タイトフレーム１７を固定する工程と、新規タイトフレーム１７に、新規折板屋根１３を固定する工程と、を備える。【選択図】図１Ｂ
2016023467.tif 000002
【特許請求の範囲】
【請求項１】
梁材に、タイトフレームを介して固定されている折板屋根の改修方法であって、
既存折板屋根および既存タイトフレームが前記梁材に固定されている状態で、前記梁材に、新規タイトフレームを固定するための固定具を固定する工程と、
前記固定具に、前記新規タイトフレームを固定する工程と、
前記新規タイトフレームに、新規折板屋根を固定する工程と、
を備えることを特徴とする折板屋根の改修方法。
【請求項２】
前記固定具は、前記梁材の延長方向に沿った両端部に、フックボルトにより固定されることを特徴とする請求項１に記載の折板屋根の改修方法。
【請求項３】
前記固定具を前記梁材に固定する際、前記既存折板屋根の、前記梁材の延長方向に沿った両端部に対応した部分に、前記フックボルトを挿通させるための開口部を形成することを特徴とする請求項２に記載の折板屋根の改修方法。
【請求項４】
前記フックボルトには、フック部の屈曲方向とは異なる方向に突き出た突出部が設けられ、
前記固定具を前記梁材に固定する際、前記突出部を目視により確認し、前記フック部の向きを把握することを特徴とする請求項２又は請求項３に記載の折板屋根の改修方法。
【請求項５】
梁材に固定された既存タイトフレームと、
前記既存タイトフレームに固定された既存折板屋根と、
前記既存折板屋根を貫通して前記梁材に固定された、新規タイトフレームを固定するための固定具と、
前記固定具に固定された、前記新規タイトフレームと、
前記新規タイトフレームに固定された、新規折板屋根と、
を備えることを特徴とする改修折板屋根。
【請求項６】
前記固定具は、前記梁材の延長方向に沿った両端部に、フックボルトにより固定されていることを特徴とする請求項５に記載の改修折板屋根。
【請求項７】
梁材に、タイトフレームを介して固定されている折板屋根の改修に使用される、梁材に新規タイトフレームを固定するための固定具であって、
上面を、前記新規タイトフレームを固定する固定面としたベース体と、
前記ベース体の前記固定面の両端に設けられた、フックボルトのネジキリ部側を挿通させるための開口と
前記ベース体の前記固定面とは反対面の両端に設けられた、前記フックボルトのフック部側を挿通させるための切り込みと、
を備え、
前記フックボルトには、フック部の屈曲方向とは異なる方向に突き出た突出部が設けられ、
前記突出部は、前記フックボルトのフック部の先端を前記梁材に向けた際、前記ベース体から突出することを特徴とする固定具。
【請求項８】
前記突出部は、前記フック部の延長線からずらされていることを特徴とする請求項７に記載の固定具。
【発明の詳細な説明】
【技術分野】
【０００１】
本発明は、折板屋根の改修方法、改修折板屋根および固定具に関する。
【背景技術】
【０００２】
折板屋根は、工場、体育館、車庫などの鉄骨建物の屋根として広く用いられている。折板屋根は金属製であり、それゆえ腐食等の経年劣化を起こす。経年劣化した折板屋根には、塗装による改修や、孔あき等を生じていた場合には、カバー工法による改修が行われる。
【０００３】
カバー工法は、既存折板屋根を撤去することなく、その上に新規折板屋根を重ねる工法である。これにより、孔あき等を広く生じていた場合でも、折板屋根を改修することができる。また、折板屋根を交換する場合に比較して、既存折板屋根の撤去がなく、作業に必要となる仮設足場、落下防止設備等を最小限にでき、工期短縮等の利点を得ることができる。このようなカバー工法の典型例は、非特許文献１に記載されている。非特許文献１に記載されている工法は、既存屋根を屋根鉄骨梁部材に固定している既存タイトフレームを利用して、新規タイトフレームを固定し、新規タイトフレームの上に新規折板屋根を固定するものである。
【先行技術文献】
【非特許文献】
【０００４】
【非特許文献１】鈴木康博、“折板屋根の改修”、［ｏｎｌｉｎｅ］、［平成２６年６月２６日検索］、インターネット  ＜URL: http://www.kinzoku-yane.or.jp/technical/pdf/special-16.pdf＞
【発明の概要】
【発明が解決しようとする課題】
【０００５】
しかし、非特許文献１に記載された工法では、既存タイトフレームに腐食等が生じていてその強度が低下している場合には、新規タイトフレームを固定することが困難である。このため、既存タイトフレームの交換が必要となり、折板屋根を撤去する工法を採用せざるを得ない。
【０００６】
本発明は、かかる事情に鑑みてなされたものであって、既存タイトフレームの強度が低下していた場合であっても、既存折板屋根を撤去することなく新規折板屋根を設置することが可能な折板屋根の改修方法、およびその改修方法が施工された改修折板屋根、並びに上記改修方法に使用される固定具を提供することを課題とする。
【課題を解決するための手段】
【０００７】
上記課題を解決するため、本発明は、以下の（１）〜（８）を提供する。
【０００８】
（１）  梁材に、タイトフレームを介して固定されている折板屋根の改修方法であって、
既存折板屋根および既存タイトフレームが前記梁材に固定されている状態で、前記梁材に、新規タイトフレームを固定するための固定具を固定する工程と、
前記固定具に、前記新規タイトフレームを固定する工程と、
前記新規タイトフレームに、新規折板屋根を固定する工程と、
を備えることを特徴とする折板屋根の改修方法。
【０００９】
（２）  前記固定具は、前記梁材の延長方向に沿った両端部に、フックボルトにより固定されることを特徴とする（１）に記載の折板屋根の改修方法。
【００１０】
（３）  前記固定具を前記梁材に固定する際、前記既存折板屋根の、前記梁材の延長方向に沿った両端部に対応した部分に、前記フックボルトを挿通させるための開口部を形成することを特徴とする（２）に記載の折板屋根の改修方法。
【００１１】
（４）  前記フックボルトには、フック部の屈曲方向とは異なる方向に突き出た突出部が設けられ、
前記固定具を前記梁材に固定する際、前記突出部を目視により確認し、前記フック部の向きを把握することを特徴とする（２）又は（３）に記載の折板屋根の改修方法。
【００１２】
（５）  梁材に固定された既存タイトフレームと、
前記既存タイトフレームに固定された既存折板屋根と、
前記既存折板屋根を貫通して前記梁材に固定された、新規タイトフレームを固定するための固定具と、
前記固定具に固定された、前記新規タイトフレームと、
前記新規タイトフレームに固定された、新規折板屋根と、
を備えることを特徴とする改修折板屋根。
【００１３】
（６）  前記固定具は、前記梁材の延長方向に沿った両端部に、フックボルトにより固定されていることを特徴とする（５）に記載の改修折板屋根。
【００１４】
（７）  梁材に、タイトフレームを介して固定されている折板屋根の改修に使用される、梁材に新規タイトフレームを固定するための固定具であって、
上面を、前記新規タイトフレームを固定する固定面としたベース体と、
前記ベース体の前記固定面の両端に設けられた、フックボルトのネジキリ部側を挿通させるための開口と
前記ベース体の前記固定面とは反対面の両端に設けられた、前記フックボルトのフック部側を挿通させるための切り込みと、
を備え、
前記フックボルトには、フック部の屈曲方向とは異なる方向に突き出た突出部が設けられ、
前記突出部は、前記フックボルトのフック部の先端を前記梁材に向けた際、前記ベース体から突出することを特徴とする固定具。
【００１５】
（８）  前記突出部は、前記フック部の延長線からずらされていることを特徴とする（７）に記載の固定具。
【発明の効果】
【００１６】
本発明によれば、既存タイトフレームの強度が低下していた場合であっても、既存折板屋根を撤去することなく新規折板屋根を設置することが可能な折板屋根の改修方法、およびその改修方法によって改修された改修折板屋根、並びに上記改修方法に使用される固定具を提供できる。
【図面の簡単な説明】
【００１７】
【図１Ａ】本発明の一実施形態に係る改修方法によって改修された改修折板屋根の一例を概略的に示す平面図である。
【図１Ｂ】図１Ａ中の１Ｂ−１Ｂ線に沿う断面図である。
【図１Ｃ】図１Ａ中の１Ｃ−１Ｃ線に沿う断面図である。
【図２】図１Ｃに示す断面に示された構造を分解して示した分解図である。
【図３】固定具およびフックボルトを概略的に示した斜視図である。
【図４】固定具の側面図である。
【図５】図４中の５−５線に沿う断面図である。
【図６】（Ａ）〜（Ｆ）図は、フックボルトによる固定作業の一例を示す図である。
【発明を実施するための形態】
【００１８】
以下、添付図面を参照して本発明の実施の形態について説明する。
図１Ａは本発明の一実施形態に係る折板屋根の改修方法によって改修された改修折板屋根の一例を概略的に示す平面図、図１Ｂは図１Ａ中の１Ｂ−１Ｂ線に沿う断面図、図１Ｃは図１Ａ中の１Ｃ−１Ｃ線に沿う断面図である。なお、図１Ｃの断面図は、固定具の部分を拡大して示している。
【００１９】
図１Ａ〜図１Ｃに示すように、例えば、Ｈ形鋼からなる屋根の梁材１０には、山部と谷部とを交互に連続して繰り返した形状を持つ既存タイトフレーム１１が、例えば、溶接により固定されている。既存タイトフレーム１１上には、改修を必要とする既存折板屋根１２が、例えば、剣先ボルト１１１およびナット１１２を用いたボルト締めにより固定されている。
【００２０】
一実施形態に係る改修方法によって改修された改修折板屋根においては、新規タイトフレーム１７を固定するための固定具１４を、既存折板屋根１２の谷部の部分に固定する。既存折板屋根１２には、固定用部材、例えば、フックボルト１５を差し込むことが可能な開口１２１が、梁材１０の延長方向に沿った両端部に対応した部分に、改修前に事前に形成されている（図１Ｃ参照）。図１Ｃに示す断面に示された構造を分解して示した分解図を図２に、固定具１４およびフックボルト１５を概略的に示した斜視図を図３に示す。なお、図３においてはフックボルト１５のネジキリの図示は省略する。
【００２１】
図１Ｃ、図２および図３に示すように、固定具１４は、上面を新規タイトフレーム１７が固定される固定面１４２とし、下面を既存折板屋根１２の谷部上に載置する載置面１４３とするベース体１４１を備えている。固定面１４２の両端部分には、フックボルト１５のネジキリ部１５１側の部分を挿通させるための開口１４４が設けられている。また、載置面１４３の両端部分には、フックボルト１５の突出部１５３を挿通させるための切り込み１４５が設けられている。
【００２２】
フックボルト１５は、既存折板屋根１２に改修前に事前に形成された開口１２１、および切り込み１４５を介して、開口１４４に差し込まれている。フックボルト１５のネジキリ部１５１は、開口１４４を介して固定面１４２より突出しており、この突出した部分は、ナット１６により締められる。また、フックボルト１５のフック部１５２は、梁材１０側を向いており、梁材１０、例えば、Ｈ形鋼の上部フランジ１０１の下面に引っ掛けることが可能になっている。固定具１４のベース体１４１は、フックボルト１５のフック部１５２を上部フランジ１０１の下面に引っ掛け、フックボルト１５のネジキリ部１５１をナット１６によって締め付けていくことで、梁材１０に固定される。フックボルト１５によるベース体１４１と梁材１０との固定箇所は、一実施形態においては、梁材１０の延長方向に沿った両端部２箇所となる。
【００２３】
固定具１４の固定面１４２には、新規タイトフレーム１７が、例えば、ボルト１８によるボルト締めによって固定される。固定面１４２の中央の部分には、ボルト１８が締め付けられるネジ穴１４６が設けられる。図３においては、固定面１４２に２箇所のネジ穴１４６が設けられた固定具１４が示されている。ネジ穴１４６は２箇所に限らず、もちろん１箇所でもよい。固定面１４２にネジ穴１４６が２箇所ある固定具１４は、例えば、新規タイトフレーム１７の末端部どうしのつなぎ目となる箇所に見ることができる。
【００２４】
また、固定具１４のベース体１４１と新規タイトフレーム１７との固定方法は、上記ボルト締めの他、溶接、ハゼ等の固定方法を用いることも、もちろん可能である。
【００２５】
新規タイトフレーム１７には、図１Ａおよび図１Ｂに示すように、新規折板屋根１３が、例えば、剣先ボルト１７１およびナット１７２を用いたボルト締めにより固定されている。新規タイトフレーム１７と新規折板屋根１３との固定方法についても、ボルト締めの他、ハゼ等の固定方法を用いることができる。
【００２６】
図４は固定具１４の側面図、図５は図４中の５−５線に沿う断面図である。
【００２７】
図４および図５に示すように、一実施形態に係る折板屋根の改修方法に使用されるフックボルト１５には、フック部１５２の屈曲方向とは異なる方向に突き出た突出部１５３が設けられている。具体的には、突出部１５３は、フック部１５２の屈曲方向とは反対方向側に突出しており、かつ、その長さは、フックボルト１５のフック部１５２の先端を梁材１０側に向けた際、固定具１４のベース体１４１から突出する長さとされている。
【００２８】
このように、突出部１５３がベース体１４１から突出させることで、固定具１４を梁材１０に固定している作業中、作業者は、突出部１５３を目視することで、既存折板屋根１２や梁材１０のフランジ部の下に隠れているフック部１５２が、確実に梁材１０側を向いていることを把握できる、という利点を得ることができる。
【００２９】
さらに、突出部１５３は、フック部１５２の延長線から所定の角度θずらされている。突出部１５３とフック部１５２の延長線との間に、このような“ずれ”を持たせることで、突出部１５３はベース体１４１の側部１４７に接触させることができる。突出部１５３が側部１４７に接触すると、フックボルト１５はそれ以上回転しなくなる。このため、ボルト締めの際の“空回り”が防止され、作業効率を向上できる、という利点を得ることができる。
【００３０】
さらに、所定の角度θについては、突出部１５３が側部１４７に接触したとき、フック部１５２が梁材１０に対して直交する方向を向く角度、に設定されることが好ましい。これにより、フックボルト１５をボルト締めしている作業中に、ほぼ自動的にフック部１５２を梁材１０に対して直交する方向に向けることが可能となる。また、側部１４７が、突出部１５３を正しい位置で固定するため、締め付け時に、作業者が手や指を挟まれてしまうような危険性も低減する。
【００３１】
さらに、突出部１５３を設ける位置であるが、突出部１５３は、ベース体１４１の内部に対応する位置にあることが好ましい。また、既存折板屋根１２に形成する開口１２１の大きさは、フックボルト１５の軸が通過する最小限度の大きさでよい。既存折板屋根１２の板厚は、例えば、１ｍｍ以下と薄いため、フック部１５２の回転半径の影響が少なく、フックボルト１５を容易に回転させることができる。図６（Ａ）〜図６（Ｆ）に、フックボルト１５による固定作業の一例を示す。まず、図６（Ａ）に示すように、フックボルト１５のフック部１５２を開口１２１に通す。次いで、図６（Ｂ）〜図６（Ｄ）に示すように、フックボルト１５を、例えば、垂直になるまで起こす。次いで、図６（Ｅ）に示すように、フックボルト１５を１８０°回転させ、フック部１５２の先端を、梁材１０に向ける。最後に、図６（Ｆ）に示すように、固定具１４を既存折板屋根１２上に置き、フック部１５２を上部フランジ１０１に引っ掛かけつつ、ナット１６で締めていく。また、このような固定作業中、フックボルト１５には、突出部１５３が設けられているため、突出部１５３が既存折板屋根１２に引っ掛かる。つまり、固定作業中におけるフックボルト１５の落下を抑制でき、作業の安全性も向上する、という利点を得ることができる。
【００３２】
このような一実施形態に係る折板屋根の改修方法によれば、
（１）  既存折板屋根１２に、固定具１４を梁材１０に固定するための固定用部材を差し込む開口１２１を開口する
（２）  梁材１０に、固定具１４を固定する
（３）  固定具１４に、新規タイトフレーム１７を固定する
（４）  新規タイトフレームに、新規折板屋根１３を固定する
という手順を踏むことによって、既存折板屋根１２を撤去することなく、新規折板屋根１３を設置できる折板屋根の改修方法、およびその改修方法が施工された改修折板屋根を得ることができる。
【００３３】
しかも、一実施形態に係る折板屋根の改修方法は、改修に際し、既存タイトフレーム１１を利用しない。このため、たとえ、既存タイトフレームの強度が低下していた場合であっても、既存折板屋根を撤去することなく新規折板屋根を設置することができる。
【００３４】
また、固定具１４を梁材１０に固定するための固定用部材として使用されるフックボルト１５は、フック部１５２の屈曲方向とは異なる方向に突き出し、かつ、フック部１５２の先端を梁材１０に向けた際、固定具１４のベース体１４１から突出する突出部１５３を有している。
【００３５】
このようなフックボルト１５によれば、
（ａ）  突出部１５３を目視するだけで、既存折板屋根１２や梁材１０の下に隠れているフック部１５２の向きを把握できる
（ｂ）  突出部１５３をフック部１５２の延長線からずらすと、フック部１５２が梁材に向いている状態のままフックボルト１５の回転を止めることができ、ボルト締めの際の“空回り”を防止できる
（ｃ）  突出部１５３がベース体１４１の側部１４７によって固定されるため、締め付け時に作業者が手や指を挟んでしまうような事故を軽減でき、作業の安全性を向上できる
（ｄ）  突出部１５３が既存折板屋根１２に引っ掛かるため、フックボルト１５の落下を防止できる
という利点を、さらに得ることができる。
【００３６】
なお、本発明は上記一実施形態に限定されることなく種々変形が可能である。また、上記一実施形態が唯一の実施形態でもない。例えば、上記一実施形態では、固定具１４に、新規タイトフレーム１７を現地にて固定する場合について説明した。しかし、これに限らず、新規タイトフレーム１７と固定具１４とを、例えば、工場加工にて一体化しておいてもよい。この場合、現地においては、既存折板屋根に開口１２１を形成し、固定具付の新規タイトフレームを、例えば、フックボルト１５によって梁材１０に固定するだけでよい。
【００３７】
その他、この発明は、その要旨を逸脱しない範囲で様々に変形することが可能である。
【符号の説明】
【００３８】
１０  梁材
１１  既存タイトフレーム
１２  既存折板屋根
１３  新規折板屋根
１４  固定具
１５  フックボルト
１６  ナット
１７  新規タイトフレーム
１４１  ベース体
１４２  固定面
１４３  載置面
１４４  開口
１４５  切り込み
１４６  ネジ穴
１４７  側部
１５１  ネジキリ部
１５２  フック部
１５３  突出部
【図１Ａ】
2016023467.tif 000003
【図１Ｂ】
2016023467.tif 000004
【図１Ｃ】
2016023467.tif 000005
【図２】
2016023467.tif 000006
【図３】
2016023467.tif 000007
【図４】
2016023467.tif 000008
【図５】
2016023467.tif 000009
【図６】
2016023467.tif 000010